(57)【要約】  本開示は、乳児睡眠表面の上に横たわる乳児の生命徴候監視及び／又は乳児睡眠表面の上に横たわる乳児への酸素の給送を容易化するように構成される乳児睡眠表面取付けシステムに関する。システムは、生命徴候監視装置が乳児睡眠表面の眺望を有するよう、生命徴候監視装置と係合するように構成される。システムは、収納位置及び閉塞位置を有する。閉塞可能な空洞は、空洞の内側の生命徴候監視装置と係合する取付け装置を有する。取付け装置は、生命徴候監視装置が関心の領域の視野を維持し且つ生命徴候監視装置の眺望を妨げる可能性を最小限化するように、構成される。よって、視野を遮る如何なるガラス／プラスチック材料（例えば、典型的なオキシフードの壁）を有さずに、空洞の内側から乳児を継続的に監視することが可能である。
2017505166.tif 000002
【特許請求の範囲】
【請求項１】
乳児睡眠表面の上に横たわる乳児の生命徴候監視を容易化するように構成される乳児睡眠表面取付けシステムであって、
フードと、
少なくとも部分的に可撓性の材料で形成されるカバー部分とを含み、
前記フードは、前記乳児睡眠表面に対する固定位置において係合されて保持されるように構成される固定部分を含み、該固定部分は、前記乳児睡眠表面によって部分的に形成される開放口を有する空洞を形成し、
前記固定部分は、生命徴候監視装置と係合するように構成される取付け装置を含み、該取付け装置は、前記空洞の内側で前記固定部分に連結され、前記取付け装置は、前記生命徴候監視装置が前記乳児睡眠表面の眺望を有するよう、前記生命徴候監視装置を支持するように構成され、
前記カバー部分は、前記カバー部分が収納位置と閉塞位置との間で前記固定部分に対して動くように、前記固定部分と可動に連結され、前記閉塞位置において、前記カバー部分は、前記固定部分の前記開放口を覆い、前記収納位置において、前記カバー部分は、前記空洞への物理的なアクセスを許容する、
乳児睡眠表面取付けシステム。
【請求項２】
前記固定部分は、前記乳児睡眠表面の下に位置付けられるように構成されるベースパネルを含む、請求項１に記載の乳児睡眠表面取付けシステム。
【請求項３】
当該乳児睡眠表面取付けシステムは、折り畳み可能である、請求項１に記載の乳児睡眠表面取付けシステム。
【請求項４】
前記生命徴候監視装置は、生命徴候カメラであり、前記取付け装置は、前記生命徴候カメラが、前記乳児睡眠表面の上に横たわる乳児の顔の眺望及びそのような乳児の胸部の角度付けられた眺望を有するように、構成される。
請求項１に記載の乳児睡眠表面取付けシステム。
【請求項５】
前記フード及び前記カバー部分は、実質的に透明な材料で形成され、当該乳児睡眠表面取付けシステムは、前記閉塞位置にある前記カバー部分に応答して、酸素の供給を用いて乳児に酸素を給送するオキシフードとして利用される可撓性のフードを形成する、請求項１に記載の乳児睡眠表面取付けシステム。
【請求項６】
乳児睡眠表面取付けシステムを用いて乳児睡眠表面の上に横たわる乳児の生命徴候監視を容易化する方法であって、
前記乳児睡眠表面取付けシステムは、フードと、少なくとも部分的に可撓性の材料で形成されるカバー部分とを含み、前記フードは、固定部分と、取付け装置とを含み、
当該方法は、
前記乳児睡眠表面に対する固定位置において係合されて保持される前記固定部分を用いて空洞を形成することを含み、前記空洞は、前記乳児睡眠表面によって部分的に形成される開放口を有し、
生命徴候監視装置を前記取付け装置と係合させることを含み、前記取付け装置は、前記空洞の内側で前記固定部分に連結され、前記取付け装置は、前記生命徴候監視装置が前記乳児睡眠表面の眺望を有するよう、前記生命徴候監視装置を支持するように構成され、
前記カバー部分が収納位置と閉塞位置との間で前記固定部分に対して動くよう、前記カバー部分を前記固定部分と可動に連結することを含み、前記閉塞位置において、前記カバー部分は、前記空洞の前記開放口を覆い、前記収納位置において、前記カバー部分は、前記空洞への物理的なアクセスを許容する、
方法。
【請求項７】
前記固定部分は、ベースパネルを含み、当該方法は、前記乳児睡眠表面の下に前記ベースパネルを位置付けることを更に含む、請求項６に記載の方法。
【請求項８】
前記乳児睡眠表面取付けシステムを折り畳むことを更に含む、請求項６に記載の方法。
【請求項９】
前記生命徴候監視装置は、生命徴候カメラであり、当該方法は、前記生命徴候カメラが、前記乳児睡眠表面の上に横たわれる乳児の顔の眺望及びそのような乳児の胸部の角度付けられた眺望を有するよう、前記生命徴候カメラを前記取付け装置と係合させることを更に含む、請求項６に記載の方法。
【請求項１０】
前記フード及び前記カバー部分を実質的に透明な材料で形成することを更に含み、前記乳児睡眠表面取付けシステムは、前記空洞の前記開放口を覆う前記カバー部分に応答して、酸素の供給を用いて乳児に酸素を給送するオキシフードとして利用される可撓性のフードを形成する、請求項６に記載の方法。
【請求項１１】
乳児睡眠表面の上に横たわる乳児の生命徴候監視を容易化するように構成される乳児睡眠表面取付けシステムであって、
前記乳児睡眠表面に対する固定位置において係合されて保持される空洞を形成する手段を含み、前記空洞は、前記乳児睡眠表面によって部分的に形成される開放口を有し、
生命徴候監視装置を係合する手段を含み、該係合する手段は、前記空洞の内側で空洞を形成する手段に連結され、前記係合する手段は、前記生命徴候監視装置が前記乳児睡眠表面の眺望を有するよう、前記生命徴候監視装置を支持するように構成され、
前記空洞の前記開放口を覆い且つ少なくとも部分的に可撓性の材料で形成される前記空洞への物理的なアクセスを許容する手段を含み、該覆い且つ許容する手段は、収納位置と閉塞位置との間で前記空洞を形成する手段に対して動くように構成され、前記収納位置において、前記覆い且つ許容する手段は、前記空洞への物理的なアクセスを許容し、前記閉塞位置において、前記空洞の前記開放口を覆う、
乳児睡眠表面取付けシステム。
【請求項１２】
前記空洞を形成する手段は、前記乳児睡眠表面の下に位置付けられるように構成されるベースパネルを含む、請求項１１に記載の乳児睡眠表面取付けシステム。
【請求項１３】
当該乳児睡眠表面取付けシステムは、折り畳み可能である、請求項１１に記載の乳児睡眠表面取付けシステム。
【請求項１４】
前記生命徴候監視装置は、生命徴候カメラであり、前記係合する手段は、前記生命徴候カメラが前記乳児睡眠表面の上に横たわる乳児の顔の眺望及びそのような乳児の胸部の角度付けられた眺望を有するように、構成される、請求項１１に記載の乳児睡眠表面取付けシステム。
【請求項１５】
前記空洞を形成する手段及び前記覆い且つ許容する手段は、実質的に透明な材料で形成され、当該乳児睡眠表面取付けシステムは、前記閉塞位置にある前記覆い且つ許容する手段に応答して、酸素の供給を用いて乳児に酸素を給送するオキシフードとして利用として利用される可撓性のフードを形成する、請求項１１に記載の乳児睡眠表面取付けシステム。
【発明の詳細な説明】
【技術分野】
【０００１】
本開示は、生命徴候監視装置が乳児睡眠表面の眺望(view)を有するよう、生命徴候監視装置と係合するように構成される、乳児睡眠表面取付けシステムに関する。必要なときには、乳児睡眠表面取付けシステムの可撓性の可動な部分が、生命徴候監視装置の視野を妨げることなく、乳児睡眠表面の上に横たわる乳児に酸素を給送するために閉塞するように構成される。
【背景技術】
【０００２】
典型的には、新生児集中治療処置室（ＮＩＣＵ）は、病気にかかった予定日よりも早い(sick  preterm)及び予定日(term)の新生児で構成される脆弱な環境である。これらの新生児の生命徴候監視は、取り付けられるプローブ、センサ、電極、及び／又は他の装置で、侵襲的な方法を用いて行われるのが普通である。非侵襲的な監視方法は侵襲的な監視と関連付けられる危険性を最小限化するが、それらの使用は限定的である。カメラに基づく監視が１つのそのような方法である。カメラは新生児のベッドに及び／又はその付近に配置されることがある。生理学的パラメータが、処理されるカメラ画像から決定される。生命徴候を正確に測定し且つ侵襲的な監視方法に取って代わるために、そのようなカメラの配置は極めて重要である。ＮＩＣＵ設備、活動、及び処置の故に、この配置には幾つかの制約がある。ＮＩＣＵ設備、活動、及び処置（例えば、乳児に対して処置を行う介護者、治療設備、チューブ、ブランケット）は、カメラの眺望を妨げることがある。例えば、補助的な酸素を必要とする新生児のためのオキシフード(oxyhood)の使用中、オキシフードは乳児の顔及び首の上に配置され、酸素がオキシフード内に注入される。多数の使用及び後続の洗浄の後に、オキシフードの表面は、典型的には引っ掻かれ或いは傷付けられ、それはオキシフードを通じた可視性を極めて困難にし、カメラに基づく監視を不可能にする。
【発明の概要】
【課題を解決するための手段】
【０００３】
従って、本開示の１つ又はそれよりも多くの特徴は、乳児睡眠表面の上に横たわる乳児の生命徴候監視及び乳児睡眠表面の上に横たわる乳児への酸素の給送を容易化するように構成される、乳児睡眠表面取付けシステムに関する。システムは、フードと、カバー部分とを含む。フードは、固定部分を含む。固定部分は、取付け装置を含む。固定部分は、乳児睡眠表面に対する固定位置において係合されて保持されるように構成される。固定部分は、乳児睡眠表面によって部分的に形成される開放口を有する空洞を形成する。取付け装置は、生命徴候監視装置と係合するように構成される。取付け装置は、空洞の内側で固定部分に連結される。取付け装置は、生命徴候監視装置が乳児睡眠表面の眺望を有するよう、生命徴候監視装置を支持するように構成される。カバー部分は、固定部分と可動に連結される。カバー部分は、カバー部分が収納位置と閉塞位置との間で固定部分に対して動くように、固定部分と可動に連結される。閉塞位置において、カバー部分は、固定部分の開放口を覆う。収納位置において、カバー部分は、空洞への物理的なアクセスを許容する。
【０００４】
本開示の他の特徴は、乳児睡眠表面取付けシステムを用いて乳児睡眠表面の上に横たわる乳児の生命徴候監視及び／又は乳児睡眠表面の上に横たわる乳児への酸素の給送を容易化する方法に関する。システムは、フードと、カバー部分とを含む。フードは、固定部分と、取付け装置とを含む。方法は、乳児睡眠表面に対する固定位置において係合されて保持される固定部分を用いて空洞を形成することを含む。空洞は、乳児睡眠表面によって部分的に形成される開放口を有する。方法は、生命徴候監視装置を取付け装置と係合させることを含む。取付け装置は、空洞の内側で固定部分に連結される。取付け装置は、生命徴候監視装置が乳児睡眠表面の眺望を有するよう、生命徴候監視装置を支持するように構成される。方法は、カバー部分が収納位置と閉塞位置との間で固定部分に対して動くように、カバー部分を固定部分と可動に連結することを含む。閉塞位置において、カバー部分は、空洞の開放口を覆う。収納位置において、カバー部分は、空洞への物理的なアクセスを許容する。
【０００５】
本開示の更に他の特徴は、乳児睡眠表面の上に横たわる乳児の生命徴候監視及び／又は乳児睡眠表面の上に横たわる乳児への酸素の給送を容易化するように構成される乳児睡眠表面取付けシステムに関する。システムは、乳児睡眠表面に対する固定位置において係合されて保持される空洞を形成する手段を含む。空洞は、乳児睡眠表面によって部分的に形成される開放口を有する。システムは、生命徴候監視装置を係合する手段を含む。係合する手段は、空洞の内側に空洞を形成する手段に連結される。係合する手段は、生命徴候監視装置が乳児睡眠表面の眺望を有するよう、生命徴候監視装置を支持するように構成される。システムは、空洞の開放口を覆い且つ空洞への物理的なアクセスを許容する手段を含む。覆い且つ許容する手段は、収納位置と閉塞位置との間で空洞を形成する手段に対して動くように構成される。収納位置において、覆い且つ許容する手段は、空洞への物理的なアクセスを許容する。閉塞位置において、覆い且つ許容する手段は、空洞の開放口を覆う。
【０００６】
本開示のこれらの及び他の目的、構成、及び特徴、並びに、操作の方法、構造の関連要素の機能、部品の組み合わせ、及び製造の経済は、添付の図面を参照して後続の記述及び付属の請求項を考慮した後に、より明らかになるであろう。図面の全ては、この明細書の部分を形成し、同等の参照番号は、様々な図面中の対応する部品を指す。しかしながら、図面は例示及び記述の目的のために過ぎず、開示の限定の定義として意図されていないことが、明示的に理解されるべきである。
【図面の簡単な説明】
【０００７】
【図１Ａ】乳児睡眠表面取付けシステムの例示を示す図である。
【図１Ｂ】乳児睡眠表面取付けシステムの例示を示す図である。
【０００８】
【図２Ａ】乳児睡眠表面取付けシステムを示す側面図である。
【図２Ｂ】乳児睡眠表面取付けシステムを示す側面図である。
【０００９】
【図３Ａ】乳児睡眠表面取付けシステムの折畳み可能な実施態様を示す図である。
【図３Ｂ】乳児睡眠表面取付けシステムの折畳み可能な実施態様を示す図である。
【図３Ｃ】乳児睡眠表面取付けシステムの折畳み可能な実施態様を示す図である。
【図３Ｄ】乳児睡眠表面取付けシステムの折畳み可能な実施態様を示す図である。
【００１０】
【図４】ＮＩＣＵ内の典型的な加温器の上のシステムを示す図である。
【００１１】
【図５Ａ】病院の病室内での使用におけるシステムを示す図である。
【図５Ｂ】家庭での使用におけるシステムを示す図である。
【００１２】
【図６】乳児睡眠表面取付けシステムを用いて乳児睡眠表面の上に横たわる乳児の生命徴候監視を容易化する方法を示すフロー図である。
【発明を実施するための形態】
【００１３】
ここにおいて用いるとき、文脈がその他を明らかに示さない限り、単一形の形態は、複数の言及を含む。ここにおいて用いるとき、２つ又はそれよりも多くの部品(part)又は構成部品(component)が「連結」される(coupled)とは、部品が直接的に又は間接的に、即ち、リンクが生じる限り、１つ又はそれよりも多くの中間的な部品又は構成部品を通じて、接合され或いは協働することを意味する。ここにおいて用いるとき、「直接的に連結」される(“directly  coupled”)とは、２つの要素が互いに直接的に接触することを意味する。ここにおいて用いるとき、「固定的に連結」される(“fixedly  coupled”)又は「固定」される(“fixed”)とは、互いに対する一定の向きを維持しながら１つのものとして動くよう、２つの構成部品が連結されることを意味する。
【００１４】
ここにおいて用いるとき、「一体的」(“unitary”)という用語は、ある構成部品が、単一の部品(piece)又はユニット(unit)として創り出されることを意味する。即ち、別個に創り出され、次に、ユニットとして共に連結される部品を含む、構成部品は、「一体的」な構成部品又は本体でない。ここにおいて利用するとき、２つ又はそれよりも多くの部品又は構成部品が互いに「係合」(“engage”)するという表現は、それらの部品が、直接的に又は１つ又はそれよりも多くの中間的な部品又は構成部品を通じて互いに力を加え合うことを意味する。ここにおいて利用するとき、「数」(“number”)という用語は、１又は１よりも大きい整数（即ち、複数）を意味する。
【００１５】
ここにおいて用いる、例えば、非限定的に、頂、底、左、右、上方、下方、正面、背面、及びそれらの派生物のような、方向の成句は、図面に示す要素の向きに関し、請求項において明示的に引用されない限り、請求項を限定しない。
【００１６】
図１は、乳児睡眠表面１２の上に横たわる乳児８に酸素を給送するように構成される乳児睡眠表面取付けシステム１０の例示である。システム１０は、生命徴候監視装置が、乳児８への酸素給送の前、間、及び／又は後に、乳児睡眠表面１２の眺望を有するよう、生命徴候監視装置と係合するように構成される。図１Ａは、システム１０を収納位置において例示している。図１Ｂは、システム１０を閉塞位置において例示している。図１Ａ及び図１Ｂは、両方とも、ＮＩＣＵベッド６内のシステム１０を例示しているが、これは限定的であることを意図しない。
【００１７】
システム１０は、乳児睡眠表面１２の上に閉塞可能な空洞３０を形成することによって典型的なオキシフード(oxyhood)の制約を克服する。閉塞可能な空洞は、生命徴候監視装置を空洞３０の内側に係合する取付け装置１８を有する。取付け装置１８は、生命徴候監視装置が関心の領域（例えば、乳児８の頭及び胸、睡眠表面１２）の上で視野を維持し且つ生命徴候監視装置の眺望を妨げる可能性を最小限化するように、構成される。収納位置（図１Ａ）にあるシステム１０を用いるとき、システム１０は、乳児８に近接近するカメラスタンドとして作用する。これは、通常のＮＩＣＵ活動のために介護者による乳児８に対する物理的なアクセスを依然として許容しながら、心拍監視のための乳児８の体部分のより近接した眺望、呼吸数監視のために必要とされる胸の動きを監視するための乳児８の角度付けられた眺望、及び／又は他の利点をもたらすことがある。システム１０が閉塞位置（図１Ｂ）にあるとき、生命徴候監視装置と乳児８との間には如何なる他のガラス／プラスチック（例えば、保育器ボックス、典型的には、オキシフード）の存在もない。
【００１８】
幾つかの実施態様において、システム１０は、フード１４、カバー、及び／又は他の構成部品を含む。フード１４は、固定部分１６及び／又は他の構成部品を含む。固定部分１６は、取付け装置１８及び／又は他の構成部品を含む。幾つかの実施態様では、システム１０が閉塞位置にあるときに、乳児８がフード１４及び／又はカバー部分２０を通じて見られることがあるように、フード１４及びカバー部分２０は、実質的に透明な材料で少なくとも部分的に形成される。
【００１９】
固定部分１６は、乳児睡眠表面１２に対する固定位置において係合されて保持されるように構成される。固定部分１６は、空洞３０を形成する。空洞３０は、乳児睡眠表面１２によって部分的に形成される開放口３２を有する。幾つかの実施態様において、開放口３２は、実質的に長方形の形状を有してよい。幾つかの実施態様において、開放口３２は、非長方形の形状を有してよい。固定部分１６は、空洞３０の開放口３２が乳児睡眠表面１２の反対側の第２の端４４に面するよう、乳児睡眠表面１２の第１の端４０を少なくとも部分的に取り囲むように構成される。固定部分１６は、開放口３２が乳児睡眠表面１２の長さ４２に対して実質的に垂直であるよう、乳児睡眠表面１２の第１の端４０を少なくとも部分的に取り囲むように構成される。幾つかの実施態様において、固定部分１６は、乳児睡眠表面１２を実質的に変形させないで、第１の端４０を部分的に取り囲んでよい。実質的に変形する乳児睡眠表面１２は、乳児睡眠表面１２を、乳児８が乳児睡眠表面１２の上に横たわり且つ／或いはその上で眠るには最早安全でないところまで変形させることを含む。
【００２０】
固定部分１６は、ベースパネル２２、第１の側方パネル２４、第２の側方パネル２６、端パネル２８、及び／又は他の構成部品を含む。ベースパネル２２は、乳児睡眠表面１２の第１の端４０の下に位置付けられるように構成される。幾つかの実施態様において、ベースパネル２２は、乳児睡眠表面１２の下で滑動する実質的に平坦な表面である。幾つかの実施態様において、ベースパネル２２は、長方形のフォームファクタ及び／又は他のフォームファクタを有してよい。ベースパネル２２は、乳児睡眠表面１２の第１の側４６から乳児睡眠表面１２の第２の側４８に延びる。ベースパネル２２は、乳児睡眠表面１２の第１の端４０から第２の端４４に向かって延びる。固定部分１６が乳児睡眠表面１２と取り外し可能に係合し且つ乳児睡眠表面１２が固定部分１６及び／又は空洞３０を第１の端４０で固定位置において係合された状態に保持するよう、ベースパネル２２は、第１の端４０から第２の端４４に向かって十分に遠く延びる。
【００２１】
幾つかの実施態様において、乳児睡眠表面１２の重量、フォームファクタ、及び／又は他の特性は、固定部分１６及び／又は空洞３０を固定位置において係合された状態に保持する。幾つかの実施態様において、固定部分１６は、乳児睡眠表面１２以外のものによって固定位置において係合された状態で保持されてよい。例えば、固定部分１６は、ベッドフレーム、ＮＩＣＵ乳児囲い(infant  enclosure)の少なくとも部分、固定部分１６の重量及び／又は構造、クランプ、フック、ストラップ、クリップ、調節可能な取付具及び／又は係止機構、及び／又は他の装置によって、固定位置において係合された状態で保持されてよい。
【００２２】
第１の側方パネル２４は、第１の側４６でベースパネル２２と連結される。第１の側方パネル２４は、ベースパネル２２から固定部分１６の第３の側５０まで延びる。第１の側方パネル２４は、乳児睡眠表面１２の第１の側４６で空洞３０の実質的に平坦な第１の側面５２を形成する。側面５２は、乳児睡眠表面１２の長さ４２と実質的に平行であってよい。第２の端４４に向かう第１の側面５２の縁５８が、第１の側４６で開放口３２の部分を定めてよい。
【００２３】
第２の側方パネル２６は、第１の側方パネル２４に対向する。第２の側方パネル２４は、第２の側４８でベースパネル２２と連結される。第２の側方パネル２４は、ベースパネル２２から固定部分１６の第３の側５０まで延びる。第２の側方パネル２６は、乳児睡眠表面１２の第２の側４８で空洞３０の実質的に平坦な第２の側面５６を形成する。側面５６は、乳児睡眠表面１２の長さ４２と実質的に平行であってよい。第２の側面５６は、第１の側面５２に面する。第２の端４４に向かう第２の側面５６の縁６０が、第２の側４８で開放口３２の部分を定めてよい。
【００２４】
第１の側方パネル２４及び第２の側方パネル２６は、ベースパネル２２から第３の側５０まで延びる長さ６２を有する。第１の側方パネル２４は、縁５８から第１の端４０まで延びる幅６４を有する。第２の側方パネル２６は、縁６０から第１の端４０まで延びる幅６４を有する。幅６４は、第１の側方パネル２４及び／又は第２の側方パネル２６がベースパネル２２から離れる方向に延びるに応じて減少する。幾つかの実施態様において、第３の側５０、第１の側方パネル２４、及び第２の側方パネル２６は、（図１Ａ及び１Ｂに示すような）対応する弓形の形状の縁６８を有する。
【００２５】
端パネル２８は、乳児睡眠表面１２の第１の端４０で、ベースパネル２２、第１の側方パネル２４、及び第２の側方パネル２６に連結される。端パネル２８は、長さ４２に対して実質的に垂直であり、第１の端４０で空洞３０の端表面７０を形成する。端パネル２８は、端４０でのベースパネル２２から第２の端４４及び第３の側５０に向かって延び、乳児睡眠表面１２と鋭角を形成する。乳児睡眠表面１２と共に形成する鋭角が減少する幅６４に対応するよう、端パネル２８は第１の側方パネル２４及び第２の側方パネル２６に連結される。幾つかの実施態様において、端パネル２８の少なくとも部分は、第１の側方パネル２４及び第２の側方パネル２６の弓形の形状の縁６８に対応する弓形の形状を有する。
【００２６】
固定部分１６は、取付け装置１８を含む。取付け装置１８は、生命徴候監視装置と係合するように構成される。幾つかの実施態様において、生命徴候監視装置は、生命徴候監視カメラ及び／又は他の装置であり、且つ／或いはそれらを含む。幾つかの実施態様において、生命徴候監視装置及び／又は生命徴候監視カメラは、音声データ記録装置、（例えば、ＮＩＣＵ標準ガイドラインの通りの）照明構成、他の視覚データ記録装置、及び／又は他の機器を含み、且つ／或いはそれらと関連付けられる。取付け装置１８は、空洞３０の内側で固定部分１６に連結される。取付け装置１８は、生命徴候監視装置が乳児睡眠表面１２の眺望を有するよう、生命徴候監視装置を支持するように構成される。幾つかの実施態様において、取付け装置１８は、生命徴候監視カメラが乳児睡眠表面１２の上に横たわる乳児８の顔の眺望を有するように、構成される。幾つかの実施態様において、取付け装置１８は、乳児８が乳児睡眠表面１２の上に横たわる間に、生命徴候監視カメラが乳児８の胸部の角度付けられた眺望を有するように、構成される。
【００２７】
取付け装置１８は、接着剤、バックル（例えば、迅速解放バックル）、（例えば、標準的なカメラ三脚台に類似する且つ／或いはそれと同じ）ネジ及び／又はネジ山付き孔、旋回アーム、締結具（例えば、かぎホック）、つなぎ綱、カム、クランプ、クリップ、締付け装置、吸引カップ、連続的な部品として固定部分１６と共に成形される振動制動装置、及び／又は様々な生命徴候監視装置を係合する他の装置のうちの１つ又はそれよりも多くを含んでよい。取付け装置１８は、生命徴候監視装置にある取付け構成に対応する取付け構成を含んでよい。取付け装置１８は、生命徴候監視装置を取り外し可能に係合するように構成されてよい。取付け装置１８は、１つ又はそれよりも多くの生命徴候監視装置を同時に取り外し可能に係合するように構成されてよい。取付け装置１８は、生命徴候監視装置と滑動可能に係合するように構成されてよい。幾つかの実施態様において、取付け装置１８は、接着剤、ネジ、クリップ、クランプ、バックル、裁縫(sewing)、結合(bonding)、及び／又は他の連結装置、技法、及び／又は方法を介して、固定部分１６と連結されてよい。取付け装置１８は、取付け装置１８がシステム１０の折重ね(folding)及び／又は折畳み(collapsing)を妨げないように、固定部分１６と連結される。
【００２８】
図１Ａ及び図１Ｂは、空洞３０の内側で端表面７０の上で固定部分１６と連結される取付け装置１８を例示している。取付け装置１８は、（例えば、弓形の形状を有する端パネル２８の部分の上で）第３の側５０で又はその付近で、端表面７０の中心線で又はその付近で、端表面７０の上で固定部分１６と連結されてよい。これは限定的であることを意図しない。幾つかの実施態様において、取付け装置１８は、生命徴候監視装置が乳児８の監視を容易化する乳児睡眠表面１２の眺望を有するならば、空洞３０の内側で固定部分１６の表面５２、表面５６、及び／又は任意の他の部分と連結されてよい。
【００２９】
取付け装置１８が固定部分１６と連結される場所は、ＮＩＣＵベッドの構造、カメラの（例えば）視野を妨げることがある介護者によって行われる処置、カメラの視野を妨げることがあるベッド内に収容されるアクセサリ、起こり得る乳児の動き、及び／又は他の要因に基づき、決定されてよい。例えば、取付け装置１８は、（例えば、乳児が睡眠表面の上でいずれかの場所に動いてよく、依然としてカメラの視野内にあることがあるように）生命徴候カメラが乳児睡眠表面１２の全体を含む視野を有するように、位置付けられてよい。取付け装置１８は、生命徴候監視装置がＮＩＣＵ介護者の通常の活動を妨げないと同時に、正確な生命徴候監視をもたらすように、位置付けられてよい。心拍監視についての関心の領域は、典型的に、乳児８の顔であり、呼吸数監視についての関心の領域は、乳児８の胸部の動きである。取付け装置１８は、生命徴候監視装置が係合させられるときに、カメラが、例えば、関心の領域（例えば、乳児８の胸部及び体）に近接近するように、固定部分１６と連結されてよい。
【００３０】
カバー部分２０は、固定部分１６と可動に連結される。幾つかの実施態様において、カバー部分２０は、固定部分１６と滑動可能に連結される。カバー部分２０は、（図１Ａに示す）収納位置と（図１Ｂに示す）閉塞位置との間で固定部分１６に対して移動し、且つ／或いは滑動する。閉塞位置において、カバー部分２０は、固定部分１６の開放口３２を覆う。収納位置において、カバー部分２０は、空洞３０に対する物理的なアクセスを許容する。幾つかの実施態様において、カバー部分２０は、フラップ９０、支持フレーム９２、軸受９４，９６、及び／又は他の構成部品を含む。
【００３１】
フラップ９０は、固定部分１６の開放口３２を覆うように展開(deploy)するように構成される。フラップ９０は、実質的に透明な可撓性の材料で形成されてよい。フラップ９０の透明性は、フラップ９０が閉じられるときに、介護者が乳児８の顔との視覚的接触を維持するのを可能にすることがある。フラップ９０の可撓性は、フラップの嵩張りをより少なくすることがあり、介護者がフラップを閉塞位置に延ばすのを容易にすることがある。幾つかの実施態様において、可撓性のフラップ９０は、端フラップ１００、第１の側方フラップ１０２、第２の側方フラップ１０４、及び／又は他の部分を含む。図１Ａに示すように、収納位置において、フラップ９０は、空洞３０内に引っ込められるように構成される。フラップ９０は、取付け装置１８によって保持される生命徴候監視装置を遮らずに（例えば、乳児睡眠表面１２の視野を妨げずに）、空洞３０内に引っ込められるように構成される。フラップ９０が空洞３０内に引っ込められるならば、フラップ９０を格納するために別個の空間は必要とされない。これは典型的なオキシフードに当て嵌まらない。典型的なオキシフードは嵩張り、余分な格納空間を必要とする。
【００３２】
図１Ｂに示すように、閉塞位置において、第１の側方フラップ１０２及び第２の側方フラップ１０４は、ベースパネル２２及び端パネル２８付近に配置される三角形の隅を有する、概ね楔形状である。第１の側方フラップ１０２は、第１の側方パネル２４と実質的に平行であり、表面５２に沿って空洞３０の少なくとも部分的に内側に並びに空洞３０の部分的に外側に位置付けられる。第１の側方フラップ１０２は、第２の端４４に向かって弓形の縁１０６を有する。第２の側方フラップ１０４は、第２の側方パネル２６と実質的に平行であり、表面５６に沿って空洞３０の内側に並びに空洞３０の部分的に外側に位置付けられる。第２の側方フラップ１０４は、弓形の縁１０６に対応する、第２の端４４に向かって弓形の縁１０８を有する。弓形の縁１０６，１０８は、第３の側５０での固定部分１６から乳児睡眠表面１２及び／又はベースパネル２２に向かって延びる。
【００３３】
端フラップ１００は、弓形の形状を有する。端フラップ１００は、弓形の縁１０６，１０８に固定され、空洞３０を取り囲む。幾つかの実施態様において、端フラップ１００の縁９９は、第３の側５０で又はその付近で固定部分１６と取り外し可能に連結される。閉塞位置（例えば、図１Ｂ）において、端フラップ１００は、乳児睡眠表面１２及び／又はベッドの何らかの他の部分及び／又は乳児８を保持する他の構造と取り外し可能に連結される。端フラップ１００は、取付け機構１１０を介して固定部分１６及び／又は乳児睡眠表面１２と取り外し可能に連結される。取付け機構１１０は、クランプ、ストラップ、織物ループ、かぎホック（例えば、ベルクロ（登録商標））ファスナ、クリップ、及び／又は他の取り外し可能な固定装置を含む。
【００３４】
幾つかの実施態様において、固定部分１６は、取付け機構１１０によって係合されるように構成される対応する取付け構成を含んでよい。幾つかの実施態様において、取付け構成は、第１の側４６及び／又は第２の側４８の近くで並びに／或いはその他の場所において、固定部分１６の第３の側５０に配置されてよい。幾つかの実施態様において、乳児睡眠表面１２及び／又はベッドの他の部分及び／又は乳児８を保持する他の構造は、（例えば、乳児睡眠表面１２の第１の側４６及び／又は第２の側４８で）取付け機構１１０によって係合されるように構成される対応する取付け構成を含んでよい。収納位置（例えば、図１Ａ）において、取付け機構１１０は、固定部分１６と取り外し可能に連結される。閉塞位置において、取付け機構は、乳児睡眠表面１２と取り外し可能に連結される。例えば、オキシフードが必要とされるとき、介護者は取付け機構１１０を固定部分１６にある取付け地点から引っ張り、次に、取付け機構１１０を乳児睡眠表面１２に取り付けて、酸素療法中にカバー部分２０を所定の場所に固定してよい。図１Ｂに示すように、フラップ９０は、カバー部分２０が閉塞位置にあるときに、乳児８の首及び／又は体の回りに適合する開口１１２を含む。
【００３５】
支持フレーム９２は、フラップ９０を支持するように構成される。支持フレーム９２は、横部材１２０(cross-member)、第１の側方部材１２２、第２の側方部材１２４、及び／又は他の構成部品を含む。部材１２０，１２２，１２４は、フラップ９０を支持するように構成される実質的に剛性の部材である。部材１２０，１２２，１２４は、金属、ポリマ、セラミック、複合材、及び／又は任意の他の軽量で剛性の材料のうちの１つ又はそれよりも多くで形成されてよい。部材１２０，１２２，１２４は、単一の概ねＵ形状の部材を形成するよう、互いに取り外し可能に及び／又は固定的に連結されてよい。横部材１２０は、端フラップ１００の幅に亘る。端フラップ１００の幅は、乳児睡眠表面１２の長さ４２に対して実質的に垂直である。第１の側方部材１２２は、第１の側方フラップ１０２に沿って横部材１２０の第１の側４６から軸受９４まで延びる。第２の側方部材１２４は、第２の側方フラップ１０４に沿って横部材１２０の第２の側４８から軸受９６まで延びる。支持フレーム９２は、端フラップ１００が閉塞位置において概ね弓形の形状を有するように、フラップ９０を支持するように構成される。支持フレーム９２は、端フラップ１００に弓形の形状を与える。何故ならば、第１の側方部材１２２及び第２の側方部材１２４は、第１の側方パネル２４及び第２の側方パネル２６の最も広い部分（例えば、ベースパネル２２に最も近い部分）よりも長いからであり、カバー部分２０が閉塞位置にあるときに、横部材１２０がベースパネル１２２と第３の端５０との間のほぼ中程の位置において端パネル２８に連結されるからである。第１の側方部材１２２の端が軸受９４と連結され、第２の側方部材１２４の端が軸受９６と連結されるので、支持フレーム９２は回転することがある。カバー部分２０が収納位置にあるときに、支持フレーム９２は回転して空洞３０内に入ってよい。
【００３６】
支持フレーム９２は、フラップ９０を区域(セクタ)(sectors)に分割してよい。図１Ｂは、２つの区域１３０，１３２を例示している。フラップ９０を区域に分割することは、介護者及び／又はその他の使用者がカバー部分２０を展開するのをより容易にする。例えば、空洞３０内への収納中に、区域１３２は区域１３０の上に及び／又は区域１３０を覆って折り重なってよい。酸素療法の直ぐ前に閉塞する間に、フラップ９０が乳児睡眠表面１２に向かって拡張させられるときに、区域１３２は区域１３０から及び／又は区域１３０から離れて広がってよい。フラップ９０を区域に分割することは、乳児８を監視する生命徴候監視装置の頂部を遮らずに、カバー部分を空洞３０内に収納するのをより容易にすることがある。フラップ９０を区域に分割することは、閉塞位置においてフラップ９０に概ね弓形の形状を与えることがある。フラップ９０を区域に分割することは、フラップ９０を洗浄するのをより容易にすることがあり、酸素療法のために取り囲まれる空洞３０の所望の容積を創り出すことがあり、カバー部分２０が閉塞位置にあるときに乳児の動きにより良好に適合することがあり、且つ／或いは他の利点を有する。幾つかの実施態様において、横部材１２０、第１の側方部材１２２、及び第２の側方部材１２４は、フラップ９０と取り外し可能に連結され、且つ／或いは固定的に連結される。例えば、部材１２０，１２２，１２４は、フラップ９０に縫い合わせられてよく、フラップ９０にクリップ留めされてよく、接着剤を用いてフラップ９０と連結されてよく、且つ／或いは他の方法を介して連結されてよい。
【００３７】
支持フレーム９２は、図１Ｂに例示されている唯一の支持フレームである。これは限定的であることを意図しない。システム１０は、フラップ９０を任意の数の区域に分割する２つ又はそれよりも多くの支持フレームを含んでよい。２つ又はそれよりも多くの支持フレームは、軸受９４，９６と連結されてよく、システム１０がここに記載するように機能するのを可能にするあらゆる方法において配置(deployed)されてよい。
【００３８】
軸受９４，９６は、収納位置と閉塞位置との間のカバー部分２０の回転及び／又は他の動きを容易化するように構成される。幾つかの実施態様において、軸受９４，９６は、玉軸受、蝶番（ヒンジ）、（例えばドアロック機構に類似する）係止／解除機構（ロック／アンロック機構）、及び／又は収納位置と閉塞位置との間のカバー部分２０の動きを容易化する他の装置を含む。軸受９４は、ベースパネル２２及び端パネル２８の付近で第１の側方パネル２４及び第１の側方部材１２２と連結される。軸受９６は、ベースパネル２２及び端パネル２８の付近で第２の側方パネル２６及び第２の側方部材１２４と連結される。幾つかの実施態様において、軸受９４は、表面５２で第１の側方パネル２４と連結される。幾つかの実施態様において、軸受９６は、表面５６で第２の側方パネル２６と連結される。幾つかの実施態様において、軸受９４は、第１の側方部材１２２と取り外し可能に連結される。幾つかの実施態様において、軸受９６は、第２の側方部材１２４と取り外し可能に連結される。軸受９４及び９６は、カバー部分２０が洗浄及び／又はその他の活動のために固定部分１６から分離させられてよいように、側方部材１２２及び１２４と取り外し可能に連結される。幾つかの実施態様において、システム１０が、例えば、乳児８の生命徴候監視の間に、カメラスタンドとして必要とされるに過ぎないとき、カバー部分２０は、固定部分１６から分離させられてよい。
【００３９】
図２は、乳児睡眠表面取付けシステム１０の側面図を例示している。図２Ａは、収納位置にあるシステム１０の側面図を例示しており、図２Ｂは、閉塞位置にあるシステム１０の側面図を例示している。収納位置（図２Ａ）において、（持ち上げられて示される）カバー部分２０は、第３の端５０で又はその付近で固定部分１６に連結される。カバー部分２０は、軸受９４（及び図示していない軸受９６）を介して介護者及び／又はその他の使用者によって回転させられて閉塞位置（図２Ｂ）になってよい。閉塞位置において、支持フレーム９２は、端フラップ１００の弓形の形状を維持する。フラップ９０は、取付け機構１１０を介して乳児睡眠表面１２に取り外し可能に連結させられてよい。取付け装置１８は、（システム１０が収納位置にあろうと閉塞位置にあろうと）、生命徴候カメラが乳児８の関心の領域を含む視野を有するように、並びに（例えば、正確な生命徴候監視を同時にもたらしながら）生命徴候監視装置がＮＩＣＵ介護者の通常の活動のいずれも妨げないように、位置付けられる。
【００４０】
図３は、乳児睡眠表面取付けシステム１０の折畳み可能(collapsible)な実施態様を例示している。システム１０は、使用していないときに、折り畳まれてよい。折畳みシステム１０は、システムの嵩張りをより少なくすることがあり、輸送をより容易にすることがあり、家庭環境における使用をより容易にすることがあり、使用していないときに格納するのをより容易にすることがあり、且つ／或いはその他の利点を有することがある。図３Ａ及び図３Ｂは、固定部分１６及びカバー部分２０が収納位置（図３Ａ）及び閉塞位置（図３Ｂ）にある、乳児睡眠表面１２を例示している。図３Ｃ及び図３Ｄは、システム１０を折り畳むことを例示している。
【００４１】
幾つかの実施態様において、折畳み可能なシステム１０は、ベースパネル２２を含まない。図３に示すように、幾つかの実施態様において、第３の側５０で、第１の側方パネル２４及び第２の側方パネル２６は、（図１Ａ及び１Ｂに示すような）対応する弓形の形状の縁６８を有さなくてよい。例えば、第１の側方パネル２４及び第２の側方パネル２６は、概ね三角形の形状であってよい。端パネル２８は、乳児睡眠表面１２の第１の端４０で第１の側方パネル２４及び第２の側方パネル２６と連結される。これらの実施態様において、第１の側方パネル２４及び第２の側方パネル２６は、端パネル２８と旋回的に連結されてよい。第１の側方パネル２４及び／又は第２の側方パネル２６は、蝶番及び／又はその他の旋回連結機構を介して端パネル２８と旋回的に連結されてよい。使用者は、カバー部分２０を引っ込めることによってシステム１０を折り畳み、次に、側方パネル２４及び２６を空洞３０に向かって内向きに折り畳んでよい９７。幾つかの実施態様において、カバー部分２０は、システム１０を折り畳む前に、軸受９４及び９６で側方パネル２４及び２６から分離させられてよい。幾つかの実施態様において、カバー部分２０は、折畳み中に固定部分１６と連結されたままであってよい。幾つかの実施態様では、上述のように、カバー部分２０は、空洞３０内に引っ込められる。幾つかの実施態様において、カバー部分２０及び固定部分１６は、カバー部分２０が（例えば、空洞３から離れる方向に、第１の側４６及び第２の側４８にそれぞれ向かって面する）第１の側方パネル２４及び第２の側方パネル２６の外面に（例えば、蝶番９４及び９６を介して）連結されるように、構成されてよい。カバー部分２０が第１の側方パネル２４及び第２の側方パネル２６の外面に連結されるときに、カバー部分２０は、（空洞３０内でなく）固定部分１６の周りで引っ込んでよい。
【００４２】
幾つかの実施態様において、折畳み可能なシステム１０は、ベースパネル２２を含む。これらの実施態様において、ベースパネル２２は、第１の側方パネル２４及び／又は第２の側方パネル２６と取り外し可能に連結されてよい。幾つかの実施態様において、ベースパネル２２は、ベースパネル２２及び第１の側方パネル２４の対応する縁及び／又はベースパネル２２及び／又は第２の側方パネル２６に沿って配置される１つ又はそれよりも多くの取り外し可能な連結機構によって、第１の側方パネル２４及び／又は第２の側方パネル２６と取り外し可能に連結されてよい。１つ又はそれよりも多くの取り外し可能な連結機構は、磁石、フック、クランプ、ストラップ、ファスナ、及び／又はその他の取り外し可能な連結機構を含んでよい。ベースパネル２２は、端パネル２８と旋回的に連結されてよい。使用者は、カバー部分２０を引っ込めることによってシステム１０を折り畳み、ベースパネル２２を第１の側方パネル２４及び第２の側方パネル２６から分離させ、側方パネル２４及び２６を空洞３０に向かって内向きに折り畳み、次に、ベースパネル２２を端パネル２８に向かって折り畳んでよい。
【００４３】
図４及び図５は、異なる状況において用いられるシステム１０を例示している。図４は、ＮＩＣＵにおける典型的な加温器１５０(warmer)にあるシステム１０を例示している。カバー部分２０は、乳児８のための最大量の加温を可能にするために引っ込められ、次に、酸素療法が必要であるときに閉塞されてよい。取付け装置１８は、乳児８が加温器１５０の上にいるときの間に、生命徴候監視装置が乳児睡眠表面１２の眺望を有するように、生命徴候監視装置を係合するように構成される。必要であるならば、システム１０は乳児睡眠表面１２及び／又は加温器１５０から容易に取り外されてよい。
【００４４】
図５は、家庭（図５Ｂ）での及び／又は病院の病室（図５Ａ）内での使用におけるシステム１０を例示している。システム１０は、例えば、クレードル１６０及び／又はその他の乳児ベッド内のマットレスに対する固定位置において係合されて保持されてよい。図５Ａは、閉塞位置におけるシステム１０を例示している。図５Ｂは、収納位置におけるシステム１０を例示している。システム１０の折畳み可能な実施態様は、家庭使用のために及び／又は病院の病室内で有用であることがある。しかしながら、図４及び図５中のシステム１０の例示の使用は、限定的であることを意図しない。システム１０は、システム１０の利点が有用であるあらゆる状況（例えば、折畳み可能な実施態様及び／又は折畳み不能な実施態様）において用いられてよい。
【００４５】
図６は、乳児睡眠表面取付けシステムを用いて乳児睡眠表面の上に横たわる乳児の生命徴候監視を容易化する方法６００を例示している。（例えば、乳児睡眠表面取付けシステムが病院ＮＩＣＵ設定において用いられるときのような）幾つかの実施態様において、方法６００は、乳児睡眠表面内に横たわる乳児に酸素を給送することを含む。システムは、フード、カバー部分、及び／又はその他の構成部品を含む。フードは、固定部分、取付け装置、及び／又はその他の構成部品を含む。以下に提示する方法６００の操作は、例示的であることを意図する。幾つかの実施態様において、方法６００は、記載しない１つ又はそれよりも多くの追加的な操作を用いて並びに／或いは議論する操作の１つ又はそれよりも多くを用いないで達成されてよい。加えて、方法６００の操作を図６中に例示し且つ以下に記載する順序は、限定的であることを意図しない。
【００４６】
操作６０２で、空洞が形成される。空洞は固定部分によって形成される。固定部分は、乳児睡眠表面に対して固定位置において係合されて保持される。空洞は、乳児睡眠表面によって部分的に形成される開放口を有する。幾つかの実施態様において、操作６０２は、（図１に示し且つここにおいて記載した）固定部分１６と同一の又は類似の固定部分によって行われる。
【００４７】
操作６０４で、生命徴候監視装置が係合される。生命徴候監視装置は、取付け装置を用いて係合される。取付け装置は、空洞の内側で固定部分に連結される。取付け装置は、生命徴候監視装置が乳児睡眠表面の眺望を有するよう、生命徴候監視装置を支持するように構成される。幾つかの実施態様において、操作６０４は、（図１に示し且つここにおいて記載する）取付け装置１８と同一の又は類似の取付け装置によって行われる。
【００４８】
操作６０６で、カバー部分は、固定部分と可動に連結する。可撓性のカバー部分は、カバー部分が収納位置と閉塞位置との間で固定部分に対して動く且つ／或いは滑動するよう、固定部分と可動に連結する。収納位置において、可撓性のカバー部分は、折り畳まれる(folded)。収納位置において、カバー部分は、空洞への物理的なアクセスを許容する。閉塞位置において、カバー部分は、空洞の開放口を覆う。閉塞位置において、可撓性のカバー部分は、円弧(arc)のように（例えば、乳母車フードのように）広げられる。幾つかの実施態様において、操作６０６は、（図１に示し且つここに記載する）カバー部分２０と同一の又は類似のカバー部分によって行われる。
【００４９】
請求項において、括弧内の如何なる参照符号も、請求項を限定するものと解釈されてならない。「含む」(“comprising”)又は「含む」(“including”)という用語は、請求項中に列挙される要素又はステップ以外の要素又はステップの存在を排除しない。幾つかの手段を列挙する装置の請求項において、これらの手段のうちの幾つかは、１つの同一の品目のハードウェアによって具現されてよい。ある要素に先行する不定冠詞は、そのような要素が複数存在することを排除しない。幾つかの手段を列挙するあらゆる装置の請求項において、これらの手段の幾つかは、１つの同じ品目のハードウェアによって具現されてよい。特定の手段が相互に異なる従属項において引用されているという単なる事実は、これらの要素を有利に組み合わせ得ないことを示さない。
【００５０】
上述の記述は、現時点で最も実用的で好適な実施態様であると考えられるものに基づき、例示の目的のための詳細を提供するが、そのような詳細は専らその目的のためであること、並びに、開示は明示的に開示される実施態様に限定されず、それとは逆に、付属の請求項の精神及び範囲内の変更及び均等な構成を含むことが意図されることが、理解されるべきである。例えば、本開示は、可能な限り、任意の実施態様の１つ又はそれよりも多くの構成を任意の他の実施態様の１つ又はそれよりも多くの構成と組み合わせ得ることを想起することが、理解されるべきである。
【図１（Ａ）】
2017505166.tif 000003
【図１（Ｂ）】
2017505166.tif 000004
【図２（Ａ）】
2017505166.tif 000005
【図２（Ｂ）】
2017505166.tif 000006
【図３（Ａ）】
2017505166.tif 000007
【図３（Ｂ）】
2017505166.tif 000008
【図３（Ｃ）】
2017505166.tif 000009
【図３（Ｄ）】
2017505166.tif 000010
【図４】
2017505166.tif 000011
【図５】
2017505166.tif 000012
【図６】
2017505166.tif 000013
【手続補正書】
【提出日】平成28年7月20日(2016.7.20)
【手続補正１】
【補正対象書類名】特許請求の範囲
【補正対象項目名】全文
【補正方法】変更
【補正の内容】
【特許請求の範囲】
【請求項１】
乳児睡眠表面の上に横たわる乳児の生命徴候監視を容易化するように構成される乳児睡眠表面取付けシステムであって、
フードと、
少なくとも部分的に可撓性の材料で形成されるカバー部分とを含み、
前記フードは、前記乳児睡眠表面に対する固定位置において係合されて保持されるように構成される固定部分を含み、該固定部分は、前記乳児睡眠表面によって部分的に形成される開放口を有する空洞を形成し、
前記固定部分は、生命徴候監視装置と係合するように構成される取付け装置を含み、該取付け装置は、前記空洞の内側で前記固定部分に連結され、前記取付け装置は、前記生命徴候監視装置が前記乳児睡眠表面の眺望を有するよう、前記生命徴候監視装置を支持するように構成され、
前記固定部分は、前記乳児睡眠表面に対する前記固定部分及び前記取付け装置の相対的な位置を維持するように構成される固定アセンブリを含み、
前記カバー部分は、前記カバー部分が収納位置と閉塞位置との間で前記固定部分に対して動くように、前記固定部分と可動に連結され、前記閉塞位置において、前記カバー部分は、前記固定部分の前記開放口を覆い、前記収納位置において、前記カバー部分は、前記空洞への物理的なアクセスを許容する、
乳児睡眠表面取付けシステム。
【請求項２】
前記固定部分の前記固定アセンブリは、前記乳児睡眠表面の下に位置付けられるように構成されるベースパネルを含む、請求項１に記載の乳児睡眠表面取付けシステム。
【請求項３】
当該乳児睡眠表面取付けシステムは、折り畳み可能である、請求項１に記載の乳児睡眠表面取付けシステム。
【請求項４】
前記生命徴候監視装置は、生命徴候カメラであり、前記取付け装置は、前記生命徴候カメラが、前記乳児睡眠表面の上に横たわる乳児の顔の眺望及びそのような乳児の胸部の角度付けられた眺望を有するように、構成される。
請求項１に記載の乳児睡眠表面取付けシステム。
【請求項５】
前記フード及び前記カバー部分は、実質的に透明な材料で形成され、当該乳児睡眠表面取付けシステムは、前記閉塞位置にある前記カバー部分に応答して、酸素の供給を用いて乳児に酸素を給送するオキシフードとして利用される可撓性のフードを形成する、請求項１に記載の乳児睡眠表面取付けシステム。
【請求項６】
乳児睡眠表面取付けシステムを用いて乳児睡眠表面の上に横たわる乳児の生命徴候監視を容易化する方法であって、
前記乳児睡眠表面取付けシステムは、フードと、少なくとも部分的に可撓性の材料で形成されるカバー部分とを含み、前記フードは、固定部分と、取付け装置とを含み、
当該方法は、
前記乳児睡眠表面に対する固定位置において係合されて保持される前記固定部分を用いて空洞を形成することを含み、前記空洞は、前記乳児睡眠表面によって部分的に形成される開放口を有し、
生命徴候監視装置を前記取付け装置と係合させることを含み、前記取付け装置は、前記空洞の内側で前記固定部分に連結され、前記取付け装置は、前記生命徴候監視装置が前記乳児睡眠表面の眺望を有するよう、前記生命徴候監視装置を支持するように構成され、
前記固定部分の固定アセンブリを用いて、前記乳児睡眠表面に対する前記固定部分及び前記取付け装置の相対的な位置を維持することを含み、
前記カバー部分が収納位置と閉塞位置との間で前記固定部分に対して動くよう、前記カバー部分を前記固定部分と可動に連結することを含み、前記閉塞位置において、前記カバー部分は、前記空洞の前記開放口を覆い、前記収納位置において、前記カバー部分は、前記空洞への物理的なアクセスを許容する、
方法。
【請求項７】
前記固定部分の前記固定アセンブリは、ベースパネルを含み、当該方法は、前記乳児睡眠表面の下に前記ベースパネルを位置付けることを更に含む、請求項６に記載の方法。
【請求項８】
前記乳児睡眠表面取付けシステムを折り畳むことを更に含む、請求項６に記載の方法。
【請求項９】
前記生命徴候監視装置は、生命徴候カメラであり、当該方法は、前記生命徴候カメラが、前記乳児睡眠表面の上に横たわれる乳児の顔の眺望及びそのような乳児の胸部の角度付けられた眺望を有するよう、前記生命徴候カメラを前記取付け装置と係合させることを更に含む、請求項６に記載の方法。
【請求項１０】
前記フード及び前記カバー部分を実質的に透明な材料で形成することを更に含み、前記乳児睡眠表面取付けシステムは、前記空洞の前記開放口を覆う前記カバー部分に応答して、酸素の供給を用いて乳児に酸素を給送するオキシフードとして利用される可撓性のフードを形成する、請求項６に記載の方法。
【請求項１１】
乳児睡眠表面の上に横たわる乳児の生命徴候監視を容易化するように構成される乳児睡眠表面取付けシステムであって、
前記乳児睡眠表面に対する固定位置において係合されて保持される空洞を形成する手段を含み、前記空洞は、前記乳児睡眠表面によって部分的に形成される開放口を有し、
生命徴候監視装置を係合する手段を含み、該係合する手段は、前記空洞の内側で空洞を形成する手段に連結され、前記係合する手段は、前記生命徴候監視装置が前記乳児睡眠表面の眺望を有するよう、前記生命徴候監視装置を支持するように構成され、
前記乳児睡眠表面に対する前記空洞を形成する手段及び前記係合する手段の相対的な位置を維持する手段を含み、
前記空洞の前記開放口を覆い且つ少なくとも部分的に可撓性の材料で形成される前記空洞への物理的なアクセスを許容する手段を含み、該覆い且つ許容する手段は、収納位置と閉塞位置との間で前記空洞を形成する手段に対して動くように構成され、前記収納位置において、前記覆い且つ許容する手段は、前記空洞への物理的なアクセスを許容し、前記閉塞位置において、前記空洞の前記開放口を覆う、
乳児睡眠表面取付けシステム。
【請求項１２】
前記相対的な位置を維持する手段は、前記乳児睡眠表面の下に位置付けられるように構成されるベースパネルを含む、請求項１１に記載の乳児睡眠表面取付けシステム。
【請求項１３】
当該乳児睡眠表面取付けシステムは、折り畳み可能である、請求項１１に記載の乳児睡眠表面取付けシステム。
【請求項１４】
前記生命徴候監視装置は、生命徴候カメラであり、前記係合する手段は、前記生命徴候カメラが前記乳児睡眠表面の上に横たわる乳児の顔の眺望及びそのような乳児の胸部の角度付けられた眺望を有するように、構成される、請求項１１に記載の乳児睡眠表面取付けシステム。
【請求項１５】
前記空洞を形成する手段及び前記覆い且つ許容する手段は、実質的に透明な材料で形成され、当該乳児睡眠表面取付けシステムは、前記閉塞位置にある前記覆い且つ許容する手段に応答して、酸素の供給を用いて乳児に酸素を給送するオキシフードとして利用として利用される可撓性のフードを形成する、請求項１１に記載の乳児睡眠表面取付けシステム。
【請求項１６】
前記生命徴候監視装置は、生命徴候カメラである、請求項１に記載の乳児睡眠表面取付けシステム。
【請求項１７】
前記取付け装置は、前記カバー部分が前記収納位置及び前記閉塞位置にあるときに、前記生命徴候カメラが前記乳児睡眠表面の実質的に途切れのない眺望を有するよう、前記生命徴候カメラが前記空洞内に完全に位置付けられるよう、前記生命徴候カメラと係合するように構成される、請求項１６に記載の乳児睡眠表面取付けシステム。
【請求項１８】
前記固定部分の前記固定アセンブリは、前記ベースパネルと連結される、第１の側方パネル及び第２の側方パネルを含む、請求項２に記載の乳児睡眠表面取付けシステム。
【請求項１９】
前記固定部分の前記固定アセンブリは、前記ベースパネル、前記第１の側方パネル、及び前記第２の側方パネルと連結される、端パネルを含む、請求項１８に記載の乳児睡眠表面取付けシステム。
【請求項２０】
前記生命徴候監視装置は、生命徴候カメラである、請求項６に記載の方法。
【請求項２１】
前記カバー部分が前記収納位置及び前記閉塞位置にあるときに、前記生命徴候カメラが前記乳児睡眠表面の実質的に途切れのない眺望を有するよう、前記生命徴候カメラが前記空洞内に完全に位置付けられるよう、前記生命徴候カメラを係合することを更に含む、請求項２０に記載の方法。
【請求項２２】
前記固定アセンブリの第１の側方パネル及び第２の側方パネルを、前記ベースパネルと連結することを更に含む、請求項７に記載の方法。
【請求項２３】
前記固定アセンブリの端パネルを、前記ベースパネル、前記第１の側方パネル、及び前記第２の側方パネルと連結することを更に含む、請求項２２に記載の方法。
【請求項２４】
前記生命徴候監視装置は、生命徴候カメラである、請求項１１に記載の乳児睡眠表面取付けシステム。
【請求項２５】
前記係合する手段は、前記覆う手段が前記収納位置及び前記閉塞位置にあるときに、前記生命徴候カメラが前記空洞内に完全に位置付けられ且つ前記乳児睡眠表面の実質的に途切れのない眺望を有するよう、前記空洞の内側で前記空洞を形成する手段に連結される、請求項２４に記載の乳児睡眠表面取付けシステム。
【請求項２６】
前記相対的な位置を維持する手段は、前記ベースパネルと連結される、第１の側方パネル及び第２の側方パネルを含む、請求項１２に記載の乳児睡眠表面取付けシステム。
【請求項２７】
前記相対的な位置を維持する手段は、前記ベースパネル、前記第１の側方パネル、及び前記第２の側方パネルと連結される、端パネルを含む、請求項２６に記載の乳児睡眠表面取付けシステム。
【国際調査報告】
2017505166.tif 000014
2017505166.tif 000015